(57)【特許請求の範囲】
【請求項１】
前身頃と後身頃を有し、
上記前身頃と後身頃の上部に連接し、腕の前側に位置する前腕部材と、
上記前腕部材の上端縁部に連接し上記後身頃から腕の後側に位置する後腕部材と、
上記後腕部材の下端縁部と上記前腕部材の下端縁部に連接し腕の下方に位置する下腕部材が設けられ、
上記前腕部材は肩部から離れるに従いわずかに身体の前側に湾曲する形状であり、
上記後腕部材は上記前腕部材の側縁部に連接する側縁部が身体の前方に向かうように湾曲し、
上記下腕部材は、上記袖口に近い部分は身体の前方に向かうように湾曲し、上記前身頃と上記後身頃に取り付けられる側縁部は裾部に向かうに従い互いに鋭角に交差し、鋭角の交差部分が襠部となり、縫製状態で運動に必要なゆとりを有し、
縫製状体で袖部分が、肘を軽く曲げて腕を斜め下前方に出した状態の曲線に近い立体形状に形成されていることを特徴とする上着。
【請求項２】
上記後腕部材は袖口に近い部分は反対に湾曲して緩やかなＳ字状に形成され、上記下腕部材は脇部に近い部分は反対に湾曲して緩やかなＳ字状に形成されている請求項１記載の上着。
【請求項３】
上記前腕部材は、上記前身頃の脇部に連接して腕の前側下方に位置する前下腕部材を備え、この前下腕部材は上記前腕部材の側縁部に連接する部分が身体の前方に向かうように湾曲して形成されている請求項１記載の上着。
【請求項４】
上記上着は伸縮性を有する編み物で作られている請求項１，２または３記載の上着。
【発明の詳細な説明】
【０００１】
【発明の属する技術分野】
この発明は、各種の運動競技やそれに準じる運動等をするために着用される上着に関する。
【０００２】
【従来の技術】
一般に、各種の運動を行う際、腕の旋回運動や肘の屈伸運動にともなって、着用している上着に上腕部から腋の下や肩こう骨にかけて張力が加わり、生地が引き伸ばされる。このときに生じる張力は、腕の運動の抵抗となり、運動性を妨げるものである。従来この問題点を解消するために、腕の前方挙上運動に対し前後身頃における引きつれが起こらないものとして、特公昭６４−４８１号公報に開示されている衣服があった。この衣服は、袖部を腋の側縁に対して斜め上方にほぼ１３５度の角度で一体裁断した前身頃と、袖部を肩先面に対して肘部付近で前方にほぼ１６０度の角度をもって一体裁断した肩部と、袖部を腋下部で前方にほぼ１５０度の角度をもって一体裁断した側部と、袖部を側縁に対して斜め上方にほぼ１１５度の角度で一体裁断した後身頃が設けられていた。これにより、袖が前身頃より少し前方に、そして肩より上方に伸びる形態となるため、肩関節および肘関節を含む一連の屈曲により形成される上下の運動域に対処し得るようになっていた。
【０００３】
【発明が解決しようとする課題】
上記従来の技術の場合、前身頃と後身頃は、袖部を側縁に対して斜め上方にほぼ１３５度と１１５度の角度をもって一体裁断しているため、腕を上げたときに十分な余裕を有しているため運動性が良好であるが、腕を下げたときは腋下付近に生地があまり、着用感があまり良くなかった。また、肩部に一体裁断された袖部は腕を前に出したときの形状に近い湾曲した形状に形成されているが、前身頃と後身頃に各々一体裁断された袖部は直線で形成されているため、袖が腕の形状に近い立体形状とならず、腕の前後左右の動きに十分対応するものではなかった。
【０００４】
この発明は上記従来の問題点に鑑みてなされたものであり、腕の前後左右の運動に対しても着用感が良好な上着を提供することを目的とする。
【０００５】
【課題を解決するための手段】
この発明は、袖が少なくとも３枚の部材で作られ、腕の運動に必要なゆとりを有し、肘を軽く曲げて腕を少し前に出した状態に立体的に裁断縫製されている上着である。
【０００６】
この上着の袖は、前身頃と後身頃を有し、上記前身頃と後身頃の上部に連接し、腕の前側に位置する前腕部材と、上記前腕部材の上端縁部に連接し上記後身頃から腕の後側に位置する後腕部材と、上記後腕部材の下端縁部と上記前腕部材の下端縁部に連接し腕の下方に位置する下腕部材が設けられ、上記前腕部材は肩部から離れるに従いわずかに身体の前側に湾曲する形状であり、上記後腕部材は上記前腕部材の側縁部に連接する側縁部が身体の前方に向かうように湾曲し、上記下腕部材は、上記袖口に近い部分は身体の前方に向かうように湾曲し、上記前身頃と上記後身頃に取り付けられる側縁部は裾部に向かうに従い互いに鋭角に交差し、鋭角の交差部分が襠部となり、縫製状態で運動に必要なゆとりを有し、縫製状体で袖部分が、肘を軽く曲げて腕を斜め下前方に出した状態の曲線に近い立体形状に形成されている。
【０００７】
また、上記後腕部材は袖口に近い部分は反対に湾曲して緩やかなＳ字状に形成され、上記下腕部材は脇部に近い部分は反対に湾曲して緩やかなＳ字状に形成されている。さらに、上記前腕部材は、上記前身頃の脇部に連接して腕の前側下方に位置する前下腕部材を備え、この前下腕部材は上記前腕部材の側縁部に連接する部分が身体の前方に向かうように湾曲して形成されている。
【０００８】
また、上記上着は編み物等伸縮性を有する生地で作られている。
【０００９】
この発明の上着は、上記前腕部材と上記後腕部材と上記下腕部材を互いに縫い合わせると、その腕部分の立体形状が前側に湾曲した筒状となる。これは、肘を軽く曲げて腕を少し前下方に出した状態の腕部の曲線に近い立体形状であり、腕の前後左右の運動や肘の屈伸運動の際に上着が身体になじみ、運動性能がよい。
【００１０】
【発明の実施の形態】
以下、この発明の実施形態について図面に基づいて説明する。図１〜図７はこの発明の一実施形態を示すもので、この実施形態の上着１０は伸縮性を有する生地、例えば編み物で作られている。そして上着１０は、胴体の前側中心に開閉自在なファスナー１２が設けられ、ファスナー１２の両脇に前身頃１４が設けられている。前身頃１４は、胸からウエストまでの部分に位置し、前身頃１４の脇部１６は下に行くにつれて斜め外側に広がり、脇部１６の下端部は裾部４７と交差し胴体の脇より少し後に達している。
【００１１】
そして、前身頃１４の上端部に連接して、肩部と腕の前側上面に位置する前腕部材１８が設けられている。前腕部材１８の形状は、図２〜図４に示すように長手方向の一端部の直線部分はファスナー１２の上端部に取り付けられる直線の前側縁部２０であり、前側縁部２０に隣接して後述する襟６６が取り付けられる丸い凹部である襟ぐり２２が形成されている。前側縁部２０の反対側端部はほぼ直線で形成された袖口２４である。前腕部材１８の、腕の前側に位置する側縁部２６は、前側縁部２０付近は前側縁部２０に対してほぼ直角となり、肘付近で身体の前側に向かうように緩やかに湾曲し、袖口２４に達している。また、側縁部２６の反対側の側縁部２８は、側縁部２６に対してほぼ相似形に湾曲し、袖口２４に向かうに従い前腕部材１８の幅がわずかに狭くなるように形成されている。
【００１２】
前腕部材１８の側縁部２６と前身頃の脇部１６に連接して、腕の前側下方に位置する前下腕部材３０が設けられている。前下腕部材３０の形状は、図５に示すように袖口２４はほぼ直線であり、前腕部材１８の側縁部２６に連接する側縁部３２は、身体の前方に向かうように内側にわずかに湾曲し、側縁部３２の反対側の側縁部３４は、側縁部３２に対してほぼ平行に外側にわずかに湾曲している。袖口２４の反対側には、前身頃１４の脇部１６に連接する側縁部３６が形成され、側縁部３６は側縁部３２との交差部分が鈍角となるように斜めに形成されている。側縁部３６は、前下腕部材３０の内側にわずかに湾曲している。
【００１３】
そして身体の後側には、前腕部材１８の側縁部２８の襟ぐり２２近傍と、前身頃１４の脇部１６に連接して後身頃３８が設けられている。図３に示すように、後身頃３８の上端部には、前腕部材１８の側縁部２８に連接する後肩線４０が設けられ、後肩線４０は肩の先に近づくにつれて下がる曲線で形成され、一対の後肩線４０の間には前腕部材１８の襟ぐり２２に連続する襟ぐり４２が形成されている。後肩線４０の外側端部から下方に脇部４４が形成されている。脇部４４は、後身頃３８の内側にわずかに湾曲し、下へ向かうにつれて外側に広がり、途中で前身頃１４の脇部１６に交差し、交差する地点から下は脇部１６に沿って後身頃３８の内側に向かう直線の脇部４６となっている。脇部４６の下端部から、ほぼ水平な直線である裾部４７が形成される。
【００１４】
そして、前腕部材１８の側縁部２８と後身頃３８の脇部４４の上部分に連接して、腕の後側に位置する後腕部材５０が設けられている。後腕部材５０の形状は、図３，図７に示すように長手方向の一端部は後身頃３８の脇部４４に取り付けられる側縁部５２であり、側縁部５２は後腕部材５０の外側にわずかに湾曲している。そして側縁部５２の反対側端部は袖口２４であり、袖口２４はほぼ直線である。そして、前腕部材１８の側縁部２８に連接する側縁部５４は、側縁部５２に近い部分は後腕部材５０の内側に僅かに湾曲し、袖口２４に近い部分は後腕部材５０の外側に僅かに湾曲し、わずかに緩やかなＳ字状に形成されている。側縁部５４の反対側の側縁部５６は、側縁部５４に対してほぼ並行に形成されている。
【００１５】
そして、後腕部材５０の側縁部５６と後身頃３８の脇部４４の下部分、前身頃１４の脇部１６の中心付近、前下腕部材３０の側縁部３４に連接して、腕の下側に位置する下腕部材５８が設けられている。下腕部材５８の形状は、図３，図６に示すように長手方向の一端部は袖口２４であり、袖口２４は下腕部材５８の内側にわずかに湾曲している。そして、後腕部材５０の側縁部５６に連接する側縁部６２は、下腕部材５８の外側に湾曲して設けられている。袖口２４の反対側の端部は、後身頃３８の脇部４４に取り付けられる側縁部６０であり、側縁部６０は、側縁部６２に対して鈍角となる方向に傾斜して設けられ、下腕部材５８の内側にわずかに湾曲している。側縁部６２の反対側の側縁部６４は、袖口２４に近い部分は下腕部材５８の内側に湾曲し、側縁部６０に近い部分は下腕部材５８の外側に湾曲して設けられ緩やかなＳ字状に形成されている。側縁部６４と側縁部６０は互いに鋭角に交差し、交差した部分は襠部６５となる。
【００１６】
この実施形態の上着１０は、前腕部材１８の側縁部２８と後腕部材５０の側縁部５４が縫い合わされ、後腕部材５０の側縁部５６と下腕部材５８の側縁部６２、下腕部材５８の側縁部６４と前下腕部材３０の側縁部３４、前下腕部材３０の側縁部３２と前腕部材１８の側縁部２６が縫い合わされて筒状の袖が形成される。そして前身頃１４の上端部は、前腕部材１８の側縁部２６の前側縁部２０近傍部分、前身頃１４の脇部１６は、前下腕部材３０の側縁部３６と下腕部材５８の側縁部６４の下部分と後身頃３８の脇部４６に縫い合わされている。後身頃３８の後肩線４０は、前腕部材１８の側縁部２８に、後身頃３８の脇部４４は、後腕部材５０の側縁部５２と下腕部材５８の側縁部６０に、そして後身頃３８の脇部４６は前身頃１４の脇部１６に縫い合わせられている。また、前腕部材１８の襟ぐり２２と後身頃３８の襟ぐり４２には襟６６が一周して取り付けられている。袖口２４には、伸縮性に優れた編み地で作られた筒状のカフス６８が取り付けられている。
【００１７】
この実施形態の上着１０は、袖が着用状態で前下側に湾曲した筒状であり、これは肘を軽く曲げて腕を少し前に出した状態の体の曲線に近い立体形状であり、腕の前後左右運動や旋回運動、肘の屈伸運動の際に上着１０が身体になじみ、運動性能が良好である。また、襠部６５が下腕部材５８と一体に設けられ縫い目が腋の下にないため、ころつきがなく着用感が良好である。
【００１８】
なお、この発明の上着は、上記実施形態に限定されるものではなく、袖の部材は４部材以外でも良く、例えば前腕部材と前下腕部材を一体とし、後腕部材、下腕部材の３枚でも良い。
【００１９】
【発明の効果】
この発明の上着は、肘を軽く曲げて腕を少し前下方に出した状態の体の曲線に近い立体形状に設けられているため、腕の前後左右の運動に追従し運動性能が良好である。また、腋の下の襠部は袖に一体に設けられ縫い合わせ線が少なく、ころつき感が少なく着用感が良好である。
【図面の簡単な説明】
【図１】  この発明の一実施形態の上着の右側面図である。
【図２】  この実施形態の上着の正面図である。
【図３】  この実施形態の上着の展開図である。
【図４】  この実施形態の上着の前腕部材の正面図である。
【図５】  この実施形態の上着の前下腕部材の正面図である。
【図６】  この実施形態の上着の下腕部材の正面図である。
【図７】  この実施形態の上着の後腕部材の正面図である。
【符号の説明】
１０  上着
１４  前身頃
１６，４４，４６  脇部
１８  前腕部材
２０  前側縁部
２２，４２  襟ぐり
２４  袖口
２６，２８，３２，３４，３６，５２，５４，５６，６０，６２，６４，  側縁部
３０  前下腕部材
３８  後身頃
４０  後肩線
４７  裾部
４８  ダーツ
５０  後腕部材
５８  下腕部材
６５  襠部
６６  襟
【図１】
0004537553.tif 000002
【図２】
0004537553.tif 000003
【図３】
0004537553.tif 000004
【図４】
0004537553.tif 000005
【図５】
0004537553.tif 000006
【図６】
0004537553.tif 000007
【図７】
0004537553.tif 000008